【事件の表示】
　特願２００５−　１９３０１「カラー表示装置」拒絶査定不服審判事件〔平成１７年　７月２８日出願公開、特開２００５−２０２４１９〕について、次のとおり審決する。
【結　論】
　本件審判の請求は、成り立たない。
【理　由】
１　手続の経緯  
　
　平成１７年　１月２７日　１９９９年１２月１日（優先権主張　特願平１０−３４２２１７号、１９９８年１２月１日（以下、「優先日」という。）、日本国、特願平１０−３４２２１８号、１９９８年１２月１日、日本国）を国際出願日とする特願２０００−５８５８５６号（以下、「原出願」という。）の一部を新たな特許出願とした特許出願
　平成１８年１１月２９日　手続補正書
　平成２０年　３月１４日　拒絶理由通知（同年３月１８日発送）
　平成２０年　５月１９日　意見書
　平成２０年１２月　１日　拒絶査定（同年１２月９日送達）
　平成２１年　１月　８日　本件審判請求
　平成２１年　２月　９日　手続補正書
　平成２２年　４月１４日　審尋（平成２２年４月２０日発送）
　平成２２年　６月１８日　回答書
 　 
２　平成２１年２月９日付け手続補正についての補正却下の決定 
　
[補正却下の決定の結論] 
　
　平成２１年２月９日付け手続補正を却下する。 
　
[理由］独立特許要件違反 
　
　平成２１年２月９日付け手続補正（以下「本件補正」という。）により、本件補正前の請求項は、 
「【請求項１】
　光源と、
　時間順次で、前記光源の光から複数の色光を所定の周波数で繰り返し生成する回転カラーフィルタと、
　該複数の色光のそれぞれに対応した画像を生成し、該複数の色光を処理する電気光学装置と、
　前記回転カラーフィルタの回転駆動と、前記電気光学装置の駆動タイミングとを同期させるように制御する駆動回路と、
　を備え、
　前記駆動回路は、前記所定の周波数が２５０Ｈｚ以上となるように、前記回転カラーフィルタの回転数を制御するカラー表示装置。
・・・」から 
「【請求項１】 
　光源と、
　時間順次で、前記光源の光から複数の色光を所定の周波数で繰り返し生成する回転カラーフィルタと、
　該複数の色光のそれぞれに対応した画像を
時間順次で
の強度
変調
　前記回転カラーフィルタの回転駆動と、前記電気光学装置の駆動タイミングとを同期させるように制御する駆動回路と、
　を備え、
　前記駆動回路は、前記所定の周波数が２５０Ｈｚ以上となるように、前記回転カラーフィルタの回転数を制御
し、
　
前記電気光学装置は反射型のデジタルマイクロミラーデバイスである、
・・・」
に補正された。 （下線は、補正箇所を明示するために請求人が付した。）
　
　そして、この補正は、電気光学装置に関し、「該複数の色光のそれぞれに対応した画像を生成」することを「時間順次で」行うものに限定し、「該複数の色光を処理する」ことを「該複数の色光の強度を変調する」ことに限定し、「反射型のデジタルマイクロミラーデバイスである」ことをさらに限定するものである。
　したがって、この補正は、特許請求の範囲の減縮を目的とするものに該当する。 
　
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項１に係る発明（以下「本願補正発明」という。）は、本件補正により補正された特許請求の範囲、明細書及び図面からみて、その請求項１に記載された以下のものと認める。 
「光源と、
　時間順次で、前記光源の光から複数の色光を所定の周波数で繰り返し生成する回転カラーフィルタと、
　該複数の色光のそれぞれに対応した画像を時間順次で生成し、該複数の色光の強度を変調する電気光学装置と、
　前記回転カラーフィルタの回転駆動と、前記電気光学装置の駆動タイミングとを同期させるように制御する駆動回路と、
　を備え、
　前記駆動回路は、前記所定の周波数が２５０Ｈｚ以上となるように、前記回転カラーフィルタの回転数を制御し、
　前記電気光学装置は反射型のデジタルマイクロミラーデバイスである、
　カラー表示装置。」
　
（２）引用発明 
（２−１）引用刊行物１の記載事項
　原査定の拒絶の理由に引用され、本願の原出願の優先日前に頒布された刊行物である特開平８−３０４７２０号公報（以下「引用刊行物１」という。）には、「イメージディスプレイシステムにおけるアーチファクト低減方法」（発明の名称）の発明に関して、以下の事項が記載されている。 
　
＜記載事項１＞
「【０００１】
【発明の属する技術分野】本発明はイメージディスプレイシステムに関し、特に１個以上の空間光変調器を使用してカラーディスプレイを発生するディスプレイシステムにおけるアーチファクト低減方法に関する。」
　
＜記載事項２＞
「【０００２】
【従来の技術】空間光変調器（ＳＬＭ：spatial light modolator ）に基づいたイメージディスプレイシステムが陰極線管に基づいたイメージディスプレイシステムに代わるものとして次第に使用されつつある。イメージディスプレイ応用に使用されるＳＬＭは像平面へ光を放出もしくは反射するピクセル発生素子アレイである。画素と識別して、ピクセル発生素子自体を“ピクセル”と呼ぶことが多い。１つの画素を発生するのにＳＬＭアレイの２つ以上のピクセルを使用できることが判れば、この用語は前後関係から自明である。
【０００３】デジタルマイクロミラーデバイス（ＤＭＤ：digital micro-mirror device ）はＳＬＭの１種である。ＤＭＤは数百乃至数千個の小さな傾斜ミラーのアレイを有している。傾斜できるようにするために、各ミラーは支柱に載置された１個以上のヒンジに取り付けられ、下層の制御回路から空隙により間隔がとられている。制御回路は静電力を与え、それにより各ミラーは選択的に傾斜する。各ミラー素子により１画素の強度が与えられる。
【０００４】所与の時間にどのピクセルをオンオフするかによって像が画定されるように、ＤＭＤのミラー素子を個別にアドレスすることができる。ＤＭＤのミラー素子をアドレスするために、各ミラー素子はアドレス信号のオンオフ状態を決定する少しのデータを記憶するメモリセルと連絡されている。ミラー素子が像平面へ光を反射するか否かを示すハイもしくはロー信号により各ミラー素子がアドレスされる点でアドレッシングはバイナリである。ミラー素子のＤＭＤアレイ周辺のデータローディング回路を介してメモリセル内に入力データを記憶することによりＤＭＤは“ロード”される。
【０００５】ピクセルデータは空間“ビットプレーン（bit-plane ）”フォーマットでＤＭＤのメモリセルへ送られる。このフォーマットでは各フレームに対してデータはピクセル毎ではなく全ピクセルのビットウェイト（bit-weight）により配置される。このフォーマットでは１フレーム期間中に、各々がそのミラー素子のｎビットピクセル値の異なるビットウェイトを表す、連続アドレス信号により各ミラー素子をアドレスすることによりグレイスケール像を発生することができる。アドレッシングに使用されるビットのビットウェイトが上位であるほど、ミラー素子がオンのままとされる時間が長くなる。最も明るい強度に対しては、ミラー素子はアドレスされる度にオンとされる。これは本質的にパルス幅変調であり、多くのバリエーションが可能である。連続するフレームに対するデータによりＤＭＤを再アドレスすることにより移動像を発生することができる。
【０００６】カラーイメージに対する１つの方法は、各原色（Ｒ，Ｇ，Ｂ）について１個ずつの、３個のＤＭＤを使用することである。各ＤＭＤの対応するピクセルからの光は観察者が所望のカラーを知覚するように収束される。もう１つの方法は１個のＤＭＤと原色区画を有するカラーホイール（color wheel ）を使用することである。さまざまなカラーに対するデータがカラーホイールへシーケンスされ同期化されて目の中でシーケンシャルな像が連続するカラー像へ統合されるようにされる。第３の方法では２個のＤＭＤが使用され、一方は２色間の切り替えに使用され、他方は第３色を表示するのに使用される。
【０００７】
【発明が解決しようとする課題】どんなディスプレイシステムでもそうであるが、ＤＭＤベースディスプレイシステムからの像の品質はアーチファクトを解消することにより改善される。潜在的なアーチファクトには観察者がまばたきしたり、目を動かしたり、目の前で手を振ったりした時にフラッシュや筋として現れる一時的な輪郭線が含まれる。もう１つのアーチファクトは動き輪郭線であり、それは移動物体を目で追っている時に疑似輪郭線として現れる。疑似輪郭線は急峻なエッジにおけるゴースト像もしくは緩やかに変化する領域におけるアーチファクト輪郭線である。メモリ多重化として知られるデータローディング法を使用するＤＭＤディスプレイシステムに特有な他種のアーチファクトもある。」
　
＜記載事項３＞
「【００１１】
【発明の実施の形態】図１および図２は、それぞれ、ＳＬＭに基づくカラーディスプレイシステム１０および２０のブロック図である。システム１０はカラーホイールを介したさまざまなカラーの像を逐次ディスプレイする１個のＳＬＭを使用している。システム２０は３個のＳＬＭを使用し、その各々が像の異なるカラーに対するデータを同時にディスプレイする。後記するように、カラーディスプレイがシステム１０のように逐次与えられるかシステム２０のように同時に与えられるかに拘わらず、各システムは多数のデータチャネルを有し、各チャネルが異なるカラー用とされている。一般的に、本発明はさまざまなチャネルのデータのタイミングを変えてディスプレイされる像内のアーチファクトを低減するものである。
【００１２】例えば、システム１０のＳＬＭ１４およびシステム２０のＳＬＭ１４はＤＭＤ型ＳＬＭである。後記するように、本発明ではメモリ多重化ＳＬＭが使用される。ＳＬＭがＤＭＤである場合には、リセットされるまでオンもしくはオフ位置に設定されたままとされる傾斜ミラーのラッチング特性によりこのメモリ多重化が可能とされる。この特性により、１組のミラー素子が既に設定されている時にもう１組のミラー素子を関連するメモリセルへロードすることができる。これによりミラー素子はメモリセルを共有することができる。
【００１３】システム１０やシステム２０が受信するイメージ信号はデジタル信号もしくは後にデジタル形式に変換されるアナログ信号とすることができる。例えば、入信号は放送されたテレビジョン信号のようなアナログ信号と考えることができる。」
　
＜記載事項４＞
「【００１６】信号インターフェイス１１はアナログ入力信号を受信し、ビデオ信号、同期信号、およびオーディオ信号に分離する。信号インターフェイス１１は、それぞれ、信号をピクセルデータへ変換しクロミナンスデータから輝度データを分離する、Ａ／Ｄコンバータおよびカラーセパレータを含んでいる。別の実施例では、カラー分離はＡ／Ｄ変換を行う前にアナログフィルタを使用して行われる。
【００１７】プロセッサシステム１２はさまざまなピクセル処理タスクを実施することによりディスプレイするピクセルデータを準備する。プロセッサシステム１２は処理中にピクセルデータを格納する、フィールドおよびラインバッファ等の、さまざまなメモリデバイスを含んでいる。
【００１８】プロセッサシステム１２により代表的に実施される１つのタスクはインターレースされたデータの前進走査変換であり、インターレースされたデータの各フィールドが完全なフレームへ変換される。他の処理タスクはスケーリング、色空間変換、もしくはガンマ補正である。色空間変換中に、輝度およびクロミナンスデータはＲＧＢデータへ変換される。ＤＭＤ１４の線形特性によりガンマ補償は不要となるためガンマ補正によりガンマ補償されたデータは逆補償される。
【００１９】実施例では、プロセッサシステム１２は前進走査変換およびスケーリング等の計算処理タスクを実施する“走査線ビデオプロセッサ”を含んでいる。このデバイスはテキサスインスツルメンツ社から市販されており、ピクセルデータのラインバイライン処理を行うことができる。
【００２０】フレームメモリ１３はプロセッサシステム１２から処理されたピクセルデータを受信する。フレームメモリ１３は、入力もしくは出力において、データを“ビットプレーン”フォーマットへ変換し、ビットプレーンデータをＤＭＤへ送る。従来の技術で検討したように、ビットプレーンフォーマットはピクセルデータがビットウェートにより再構成されるフォーマットである。これによりＤＭＤ１４の各ピクセルはある時間の１ビットデータの値に応答してオンオフすることができる。」
　
＜記載事項５＞
「【００２２】従来の技術で前記したように、ＤＭＤ１４は各ミラー素子のオンオフ状態を有する２進デバイスである。データの各ビットに対するビットプレーンはパルス幅変調シーケンスによりロードされディスプレイされる。ｎビットピクセルデータに対しては、フレーム期間当たりｎビットプレーンがある。フレーム期間中に、観察者は２進データを統合してそのフレームの像のさまざまな強度を知覚する。
【００２３】次に図１およびシステム１０を参照して、ＤＭＤ１４へのＲＧＢデータの各フレームへ一時に１つのカラーが与えられ、データの各フレームがレッド、ブルー、およびグリーンのデータセグメントへ分割されるようにされる。各セグメントのディスプレイ時間はフレーム毎に１回転するカラーフォイール１７に同期化され、ＤＭＤ１４が適切な時間にカラーフォイール１７を介した１つのカラーに対するデータを表示するようにされる。したがって、各カラー（Ｒ，ＧおよびＢ）に対するデータチャネルは各フレームがさまざまなカラーに対するシーケンシャルデータを有するように時間多重化される。
【００２４】シーケンシャルカラーシステム１０に対して、光源１５から集光レンズ１６ａを介して白色光が送られ、それは回転するカラーフォイール１７上の一点へ収束される。第２のレンズ１６ｂによりカラー光線はＤＭＤのミラーアレイのサイズへ適合される。ＤＭＤからの反射光により画面１９上に像が投影される。投影レンズ１８はさまざまな画面サイズに調整される。」
　
（２−２）引用刊行物１に記載された発明
（２−２−１）
　上記記載事項３には、「【００１１】・・・図１および図２は、それぞれ、ＳＬＭに基づくカラーディスプレイシステム１０および２０のブロック図である。・・・」と記載されている。
　この記載によれば、引用刊行物１には、「カラーディスプレイシステム」の発明が記載されている。
　
（２−２−２）
　上記記載事項５には、「【００２３】次に図１およびシステム１０を参照して、ＤＭＤ１４へのＲＧＢデータの各フレームへ一時に１つのカラーが与えられ、データの各フレームがレッド、ブルー、およびグリーンのデータセグメントへ分割されるようにされる。各セグメントのディスプレイ時間はフレーム毎に１回転するカラーフォイール１７に同期化され、ＤＭＤ１４が適切な時間にカラーフォイール１７を介した１つのカラーに対するデータを表示するようにされる。したがって、各カラー（Ｒ，ＧおよびＢ）・・・【００２４】シーケンシャルカラーシステム１０に対して、光源１５から集光レンズ１６ａを介して白色光が送られ、それは回転するカラーフォイール１７上の一点へ収束される。第２のレンズ１６ｂによりカラー光線はＤＭＤのミラーアレイのサイズへ適合される。ＤＭＤからの反射光により画面１９上に像が投影される。投影レンズ１８はさまざまな画面サイズに調整される。」と記載されている。
　この記載によれば、引用刊行物１の「カラーディスプレイシステム」は、「光源１５」と「フレーム毎に１回転することにより、光源からの白色光からＲ，ＧおよびＢのカラー光線をシーケンシャルに生成するカラーフォイール１７」とを有している。
　
（２−２−３）
　上記記載事項５には、「【００２２】従来の技術で前記したように、ＤＭＤ１４は各ミラー素子のオンオフ状態を有する２進デバイスである。データの各ビットに対するビットプレーンはパルス幅変調シーケンスによりロードされディスプレイされる。ｎビットピクセルデータに対しては、フレーム期間当たりｎビットプレーンがある。フレーム期間中に、観察者は２進データを統合してそのフレームの像のさまざまな強度を知覚する。【００２３】次に図１およびシステム１０を参照して、ＤＭＤ１４へのＲＧＢデータの各フレームへ一時に１つのカラーが与えられ、データの各フレームがレッド、ブルー、およびグリーンのデータセグメントへ分割されるようにされる。各セグメントのディスプレイ時間はフレーム毎に１回転するカラーフォイール１７に同期化され、ＤＭＤ１４が適切な時間にカラーフォイール１７を介した１つのカラーに対するデータを表示するようにされる。したがって、各カラー（Ｒ，ＧおよびＢ）に対するデータチャネルは各フレームがさまざまなカラーに対するシーケンシャルデータを有するように時間多重化される。【００２４】・・・ＤＭＤからの反射光により画面１９上に像が投影される。投影レンズ１８はさまざまな画面サイズに調整される。」と記載されている。
　この記載によれば、引用刊行物１の「カラーディスプレイシステム」は、「１つのカラー光線に対するカラーのデータセグメントをシーケンシャルに表示し、ｎビットピクセルデータをパルス幅変調シーケンスによりロードしディスプレイし、反射光により画面１９上に像を投影するＤＭＤ１４」とを有しており、「各カラーのデータセグメントのディスプレイ時間はフレーム毎に１回転するカラーフォイール１７に同期化され」ているものである。
　
（２−２−４）
　上記記載事項３には、「【００１３】・・・例えば、入信号は放送されたテレビジョン信号のようなアナログ信号と考えることができる。」と、上記記載事項４には、「【００１６】信号インターフェイス１１はアナログ入力信号を受信し、・・・【００１７】プロセッサシステム１２はさまざまなピクセル処理タスクを実施することによりディスプレイするピクセルデータを準備する。・・・【００１８】プロセッサシステム１２により代表的に実施される１つのタスクはインターレースされたデータの前進走査変換であり、インターレースされたデータの各フィールドが完全なフレームへ変換される。」と記載されている。
　これらの記載によれば、引用刊行物１の「カラーディスプレイシステム」は、テレビジョン信号のようなアナログ信号の周波数でフレームを生成するものである。
　そして、（２−２−３）によれば、引用刊行物１の「カラーディスプレイシステム」は、「各カラーのデータセグメントのディスプレイ時間はフレーム毎に１回転するカラーフォイール１７に同期化され」ているのであるから、引用刊行物１の「カラーディスプレイシステム」は、「テレビジョン信号のようなアナログ信号の周波数でカラーフォイール１７を回転する」ものである。
　
（２−２−５）
　（２−２−１）〜（２−２−４）によれば、引用刊行物１には、以下の発明が記載されている。 
「光源１５、
　フレーム毎に１回転することにより、光源１５からの白色光からＲ，ＧおよびＢのカラー光線をシーケンシャルに生成するカラーフォイール１７と、
　１つのカラー光線に対するカラーのデータセグメントをシーケンシャルに表示し、ｎビットピクセルデータをパルス幅変調シーケンスによりロードしディスプレイし、反射光により画面１９上に像を投影するＤＭＤ１４とを有し、
　各カラーのデータセグメントのディスプレイ時間はフレーム毎に１回転するカラーフォイール１７に同期化され、テレビジョン信号のようなアナログ信号の周波数でカラーフォイール１７を回転する
　カラーディスプレイシステム。」（以下、「引用発明１」という。）
　
（３）対比 
　本願補正発明と引用発明１とを比較する。 
　
（３−１）
　引用発明１の「光源１５」は、本願補正発明の「光源」に相当し、以下同様に、「光源１５からの白色光」は「光源の光」に、「Ｒ，ＧおよびＢのカラー光線」は「複数の色光」に、「フレーム毎に」「生成する」ことは「所定の周波数でくり返し生成する」ことに、「カラーディスプレイシステム」は「カラー表示装置」に相当する。
　よって、引用発明１の、フレーム毎に１回転することにより、光源１５からの白色光からＲ，ＧおよびＢのカラー光線をシーケンシャルに生成する、「カラーフォイール１７」は、本願補正発明の、時間順次で、前記光源の光から複数の色光を所定の周波数で繰り返し生成する、「回転カラーフィルタ」に相当する。
　
（３−２）
　引用発明１の「１つのカラー光線に対するカラーのデータセグメント」は、本願補正発明の「該複数の色光のそれぞれに対応した画像」に相当し、「ｎビットピクセルデータをパルス幅変調シーケンスによりロードしディスプレイする」ことは、本願補正発明の「複数の色光の強度を変調する」に相当し、引用発明１の「反射光により画面１９上に像を投影するＤＭＤ１４」は、本願補正発明の「反射型のデジタルマイクロミラーデバイス」に相当するから、引用発明１の、１つのカラー光線に対するカラーのデータセグメントをシーケンシャルに表示し、ｎビットピクセルデータをパルス幅変調シーケンスによりロードしディスプレイし、反射光により画面１９上に像を投影する、「ＤＭＤ１４」は、本願補正発明の、該複数の色光のそれぞれに対応した画像を時間順次で生成し、該複数の色光の強度を変調する電気光学装置である反射型の、「デジタルマイクロミラーデバイス」にする。
　
（３−３）
　また、引用発明１は、各カラーのデータセグメントのディスプレイ時間はフレーム毎に１回転するカラーフォイール１７に同期化され、テレビジョン信号のようなアナログ信号の周波数でカラーフォイール１７を回転するのであるから、明示はされていないが、引用発明１は、「カラーフォイール１７」の回転駆動と、「ＤＭＤ１４」の駆動タイミングとを同期化させる制御を行う回路を有しており、その回路は、テレビジョン信号のようなアナログ信号の周波数でカラーフォイール１７を回転するものである。
　よって、引用発明１の、「カラーフォイール１７」の回転駆動と、「ＤＭＤ１４」の駆動タイミングとを同期化させる制御を行う回路は、本願補正発明の、「前記回転カラーフィルタの回転駆動と、前記電気光学装置の駆動タイミングとを同期させるように制御する駆動回路」に相当し、引用発明1の、制御を行う回路が、「テレビジョン信号のようなアナログ信号の周波数でカラーフォイール１７を回転する」ことと、本願補正発明の「前記駆動回路」が、「前記所定の周波数が２５０Ｈｚ以上となるように、前記回転カラーフィルタの回転数を制御する」こととは共に、「前記駆動回路が、前記所定の周波数で、前記回転カラーフィルタの回転数を制御する」ことである点で共通する。
　
（３−４）
　したがって、本願補正発明と引用発明１の両者は、 
「光源と、
　時間順次で、前記光源の光から複数の色光を所定の周波数で繰り返し生成する回転カラーフィルタと、
　該複数の色光のそれぞれに対応した画像を時間順次で生成し、該複数の色光の強度を変調する電気光学装置と、
　前記回転カラーフィルタの回転駆動と、前記電気光学装置の駆動タイミングとを同期させるように制御する駆動回路と、
　を備え、
　前記駆動回路は、前記所定の周波数で、前記回転カラーフィルタの回転数を制御し、
　前記電気光学装置は反射型のデジタルマイクロミラーデバイスである、
　カラー表示装置。」の点で一致し、以下の点で相違する。 
　
 [相違点] 
　所定の周波数に関し、本願補正発明では「２５０Ｈｚ以上」であるのに対し、引用発明１ではそのような発明特定事項が限定されていない点。
　
（４）当審の判断 
　上記相違点について検討する。
　
　原査定の拒絶の理由に引用され、本願の原出願の優先日前に頒布された刊行物である特開平８−３１７３８０号公報（以下「引用刊行物２」という。）には、「面順次カラー表示装置」（発明の名称）の発明に関して、以下の事項が記載されている。
　
＜記載事項６＞
「【０００１】
【産業上の利用分野】この発明は、例えばフィールド毎、または１フィールドの整数分の１の周期毎に三原色画像を切り換えることによりカラー表示を可能とする面順次カラー表示装置に関する。」
　
＜記載事項７＞
「【０００２】
【従来の技術】カラー表示装置としては、カラーＣＲＴ（陰極線管）が広く使用されているが、三原色の電子ビームが三原色の蛍光面をたたく構成のために、ビームのコンバージェンス、ビームのランディング位置の調整が必要で、それによって、コントラスト、解像度、コストの面で問題があった。一方、モノクロＣＲＴと色フィルタとを使用し、三原色を時間的に切り換える方式、所謂面順次カラー表示装置は、かかる問題点を生じない利点がある。
【０００３】実用化されている面順次カラー表示装置は、三原色信号を一旦メモリに蓄積し、色フィルタの切り換えとメモリからの順次色信号とを同期させる方式である。一例として、１フィールドの時間内に三原色信号を走査するために、水平走査、垂直走査は、通常の３倍としている。色フィルタとしては、機械的に色フィルタを回転させる構成と、πセルおよびカラー偏光板からなる液晶シャッターを切り換えるＬＣＳ方式とが実用化されている。つまり、ＬＣＳ方式の面順次カラー表示装置は、ＣＲＴを赤（Ｒ）、緑（Ｇ）、青（Ｂ）の三原色信号によって順次駆動し、２枚のπセルのモードを切り換えるものである。
【０００４】
【発明が解決しようとする課題】面順次ではない通常の走査方式（ノンインタレース）を図１４Ａに示す。図１４Ａは、フレーム周波数が６０Hzの方式であり、つまり、１／１８０秒毎に２本の水平走査線が描かれ、１／６０秒で１枚の画像（１フレーム）が構成される。実際には、水平走査線が６００本であるが、図では６本に簡略化している。また、面順次走査方式を図１４Ｂに示す。図１４Ｂの面順次走査方式では、面順次とするために、通常の走査方式の１フレーム間に、赤、緑、青の３枚（３フレーム）の画像を走査したものである。また、図１４Ｂに示す１Ｒ、２Ｒ、・・・５Ｂ、６Ｂの符号は、後に示すこの発明の説明に用いるために各走査線に対して付されたものである。
【０００５】図１５Ａは、画面上で左から右へ移動する白色（赤＋青＋緑）のウィンドウを目で追従した場合を示す。図１５Ａに示すように、青の信号で駆動されるウィンドウの位置を中心として考えると、同じフレームの赤の信号で駆動されるウィンドウがΔｘだけ青のウィンドウに対して右側へずれ、緑の信号で駆動されるウィンドウがΔｘだけ青のウィンドウに対して左側へずれる。このように、目の移動により赤、青、緑の残像の位置が変化し、無彩色にもかかわらず、図１５Ｂに示すように、白色のウィンドウの前側には緑およびシアン、後ろ側にはマゼンタおよび赤の色が付いて見える。図１５Ｃは、この場合の輝度レベルを示している。また、画面の外を見ていて、すばやく画面を目で注視する場合、或いは、瞬き時でも、同様の問題が生じる。これらの現象は、色割れと称され、上述したような高輝度の白い物体の場合に目につき易い。
【０００６】色割れを防止する一つの方法として、三原色画像のフレームの変化をより速くすることが考えられるが、そのためには、水平および垂直走査周波数の両者を３倍の周波数より高くしなければならない。そのために、水平偏向のドライブおよびＣＲＴのドライブの周波数が高くなり、消費電力が増大、映像帯域の拡大によるＳ／Ｎの低下、周波数特性（ｆ特性）の低下という新たな問題が発生する。また、撮像側と受像側とがクローズド・システムでない場合は、受像側で高速のメモリ、ディジタル／アナログ変換器を必要とする。
【０００７】従って、この発明の目的は、消費電力を抑えながら色割れを防止した面順次カラー表示装置を提供することにある。」
　
＜記載事項８＞
「【０００８】
【課題を解決するための手段】この発明は、モノクロの画像発生手段と、三原色信号から画像発生手段を駆動する順次色信号を生成する駆動信号生成手段と、画像発生手段と光軸上直列に配され、画像発生手段の駆動タイミングと同期して、外部からの信号によって切り換えられるようになされた液晶シャッターとを備え、面順次走査において、３：１のインタレースを行ない、３：１のインタレースにより、赤、緑、青のフィールドごとにずれ、赤、緑、青の３つのフィールドをプリ・フレームとした場合に、同じ走査線の位置では３つのプリ・フレームの色が異なるようにしたことを特徴とする面順次カラー表示装置である。
【０００９】
【作用】水平周波数を３Ｆｈのままで、垂直周波数を９Ｆｖとすることによって、順次走査が３：１のインタレース走査ヘ変更される。この３：１のインタレース走査と同期して、メモリ７からの各色信号の読み出しがなされる。そして、水平走査線Ｌ１〜Ｌ６にそれぞれ対応して、色信号１Ｒ、２Ｇ、３Ｂ、４Ｒ、５Ｇ、６Ｂによって、１組目のプリ・フレームが構成され、色信号１Ｂ、２Ｒ、３Ｇ、４Ｂ、５Ｒ、６Ｇによって、２組目のプリ・フレームが構成され、色信号１Ｇ、２Ｂ、３Ｒ、４Ｇ、５Ｂ、６Ｒによって、３組目のプリ・フレームが構成される。よって、プリ・フレーム３枚で完全なフレームを形成することができる。これにより、実質的に画像の枚数を増やし、動く画像に対する色付きを低減でき、瞬きによる色付きも低減できる。
　
＜記載事項９＞
「【００１６】同期分離回路４により分離された通常の水平走査周波数Ｆｈの水平同期信号ＨＤがＰＬＬ１３に供給され、ＰＬＬ１３によって、水平同期信号ＨＤと同期した３倍の周波数（３Ｆｈ）の信号が生成される。また、同期分離回路４からの垂直同期信号ＶＤがＰＬＬ１４に供給され、垂直同期信号ＶＤと同期した３倍の周波数（３Ｆｖ）の信号が生成される。そして、同期分離回路４からの複合同期信号とＰＬＬ１３および１４の出力信号がタイミング生成回路１５に供給される。」
　
＜記載事項１０＞
「【００２１】よりさらに、この例では、画像発生源としてＣＲＴ１０が用いられているが、ＣＲＴ１０の代わりに液晶等の他のモノクロ画素表示装置を使用することも可能である。この液晶を用いた場合、バックライトと液晶との間にカラー偏光板、およびπセルを配置する構成にすることも可能である。」
　
＜記載事項１１＞
「【００２９】この発明は、水平周波数を３Ｆｈとし、垂直周波数を９Ｆｖとすることによって、赤、緑、青の各色が３：１のインタレース走査を行なうもので、水平周波数を３Ｆｈのままで、色の切り換え周波数を実質的に３倍にすることができるものである。そして、順次色信号の１フレーム内の色の組み合わせの１つをプリ・フレームとし、２組以上を適切に並べる。これによって、色割れを防止するものである。」
　
ア．上記記載事項６には、「【０００１】・・・この発明は、例えばフィールド毎、または１フィールドの整数分の１の周期毎に三原色画像を切り換えることによりカラー表示を可能とする面順次カラー表示装置に関する。」と記載されている。
　この記載によれば、引用刊行物２には「面順次カラー表示装置」の発明が記載されている。
　
イ．上記記載事項７には、「【０００２】・・・モノクロＣＲＴと色フィルタとを使用し、三原色を時間的に切り換える方式、所謂面順次カラー表示装置・・・【０００３】実用化されている面順次カラー表示装置は、三原色信号を一旦メモリに蓄積し、色フィルタの切り換えとメモリからの順次色信号とを同期させる方式である。一例として、１フィールドの時間内に三原色信号を走査するために、水平走査、垂直走査は、通常の３倍としている。色フィルタとしては、機械的に色フィルタを回転させる構成」と、上記記載事項１０には、「【００２１】よりさらに、この例では、画像発生源としてＣＲＴ１０が用いられているが、ＣＲＴ１０の代わりに液晶等の他のモノクロ画素表示装置を使用することも可能である。」と記載されている。
　これらの記載によれば、引用刊行物２の「面順次カラー表示装置」は、「モノクロ画像発生源と色フィルタとを使用し、三原色を時間的に切り換える」ものであって、「色フィルタとしては、機械的に色フィルタを回転させる」ものである。
　
ウ．上記記載事項７には、「【０００３】実用化されている面順次カラー表示装置は、三原色信号を一旦メモリに蓄積し、色フィルタの切り換えとメモリからの順次色信号とを同期させる方式である。一例として、１フィールドの時間内に三原色信号を走査するために、水平走査、垂直走査は、通常の３倍としている。・・・」と、「【０００４】・・・図１４Ｂの面順次走査方式では、面順次とするために、通常の走査方式の１フレーム間に、赤、緑、青の３枚（３フレーム）の画像を走査したものである。・・・」と記載されている。
　これらの記載によれば、引用刊行物２の【発明が解決しようとする課題】欄に記載された「通常の面順次走査方式」は、「通常の走査方式の１フレーム間に、通常の走査方式の３倍の水平走査周波数、垂直走査周波数で、赤、緑、青の３枚（３フレーム）の画像を走査する方式」である。
　
エ．上記ウで述べた記載事項に続いて、上記記載事項７には、「【０００５】図１５Ａは、画面上で左から右へ移動する白色（赤＋青＋緑）のウィンドウを目で追従した場合を示す。図１５Ａに示すように、青の信号で駆動されるウィンドウの位置を中心として考えると、同じフレームの赤の信号で駆動されるウィンドウがΔｘだけ青のウィンドウに対して右側へずれ、緑の信号で駆動されるウィンドウがΔｘだけ青のウィンドウに対して左側へずれる。このように、目の移動により赤、青、緑の残像の位置が変化し、無彩色にもかかわらず、図１５Ｂに示すように、白色のウィンドウの前側には緑およびシアン、後ろ側にはマゼンタおよび赤の色が付いて見える。図１５Ｃは、この場合の輝度レベルを示している。また、画面の外を見ていて、すばやく画面を目で注視する場合、或いは、瞬き時でも、同様の問題が生じる。これらの現象は、色割れと称され、上述したような高輝度の白い物体の場合に目につき易い。」と記載されている。
　この記載及び上記ウによれば、引用刊行物２の発明が解決しようとする課題欄に記載された「色割れ」の現象は、「通常の面順次走査方式」、すなわち、「通常の走査方式の１フレーム間に、通常の走査方式の３倍の水平走査周波数、垂直走査周波数で、赤、緑、青の３枚（３フレーム）の画像を走査する方式」において起きる現象である。
　
オ．上記エで述べた記載事項に続いて、上記記載事項７には、「【０００６】色割れを防止する一つの方法として、三原色画像のフレームの変化をより速くすることが考えられるが、そのためには、水平および垂直走査周波数の両者を３倍の周波数より高くしなければならない。」と記載されている。
　上記ウ、エによれば、この記載は、「通常の面順次走査方式」、すなわち、「通常の走査方式の１フレーム間に、通常の走査方式の３倍の水平走査周波数、垂直走査周波数で、赤、緑、青の３枚（３フレーム）の画像を走査する方式」において「色割れを防止する一つの方法」として、「三原色画像のフレームの変化をより速くする」ために、「通常の面順次走査方式」の「水平および垂直走査周波数の両者を３倍の周波数より高く」、すなわち、「通常の走査方式の１フレーム間に、通常の走査方式の９倍より高い水平走査周波数、垂直走査周波数で、赤、緑、青、赤、緑、青、赤、緑、青の９枚（９フレーム）以上の画像を走査しなければならない」ことを意味している。
　なお、このことは、上記記載事項７に「そのために、水平偏向のドライブおよびＣＲＴのドライブの周波数が高くなり、消費電力が増大、映像帯域の拡大によるＳ／Ｎの低下、周波数特性（ｆ特性）の低下という新たな問題が発生する。」と記載され、これらの問題を解決するために、引用刊行物２に記載された発明の作用を説明する上記記載事項８に「【０００９】【作用】水平周波数を３Ｆｈのままで、垂直周波数を９Ｆｖとすることによって、順次走査が３：１のインタレース走査ヘ変更される。」と記載され、引用刊行物２に記載された発明の実施例を説明する上記記載事項１０に「【００２９】この発明は、水平周波数を３Ｆｈとし、垂直周波数を９Ｆｖとすることによって、赤、緑、青の各色が３：１のインタレース走査を行なうもので、水平周波数を３Ｆｈのままで、色の切り換え周波数を実質的に３倍にすることができるものである。・・・」と記載されていることとも整合している。ここで、上記記載事項９に「【００１６】同期分離回路４により分離された通常の水平走査周波数Ｆｈの水平同期信号ＨＤがＰＬＬ１３に供給され・・・」と記載されていることから、引用刊行物２に記載された「Ｆｈ」、「Ｆｖ」は、通常の走査方式における水平走査周波数、垂直走査周波数である。
　
カ．上記ア〜オによれば、引用刊行物２には、「面順次カラー表示装置」の発明に関し、以下の発明が記載されている。
「モノクロ画像発生源と、機械的に回転する色フィルタとを有し、三原色を時間的に切り換える面順次カラー表示装置において、
　色割れを防止するために、三原色画像のフレームの変化をより速くするように、通常の面順次走査方式の水平および垂直走査周波数の両者を３倍の周波数より高く、すなわち、通常の走査方式の１フレーム間に、通常の走査方式の少なくとも９倍の水平走査周波数、垂直走査周波数で、赤、緑、青、赤、緑、青、赤、緑、青の９枚（９フレーム）以上の画像を走査する
　面順次カラー表示装置。」（以下、「引用発明２」という。）
　
　引用発明２と同様の発明が、特開平０７−１９９１４９号公報の段落【００３３】〜【００３７】、図５に、特開平８−５１６３３号公報の段落【０００３】〜【００１２】、【００１９】〜【００２８】、図１〜５に記載されている。
　
　そして、引用発明１と引用発明２とは「面順次カラー表示装置」という同一の技術分野に属し、「面順次カラー表示装置において色割れが問題となる」ことは、周知の課題である。
　よって、引用発明１において、色割れを防止するために、引用発明２の技術を適用し、三原色画像のフレームの変化をより速くするように、通常の面順次カラー表示装置におけるフレームの変化の３倍よりも速い周波数でフレームを変化させる、すなわち、カラーフォイール１７（回転カラーフィルタ）の回転数を、テレビジョン信号の通常のもの（６０Ｈｚ）に比べて、３倍（１８０Ｈｚ）より大きくすることは、当業者が容易になし得たことである。ここで、色割れを防止するためには、三原色画像のフレームの変化をより速く、すなわち、カラーフォイール１７（回転カラーフィルタ）の回転数をより大きくした方がその効果が大きいことは自明であるところ、その下限値として２５０Ｈｚ以上とすることに、格別の困難性は認められない。
　
　したがって、上記相違点に係る本願補正発明の発明特定事項は、当業者が引用発明１及び引用発明２に基づいて容易に想到し得たことである。
　
　そして、本願補正発明によってもたらされる効果は、引用発明１及び引用発明２から想定することができない格別のものと認めることもできない。
　
　したがって、本願補正発明は、引用発明１及び引用発明２に基づいて当業者が容易に発明をすることができたものである。 
　
　よって、本願補正発明は、特許法第２９条第２項の規定により、特許出願の際独立して特許を受けることができない。
　
　なお、請求人は、回答書において、『引用文献２（当審注：「引用刊行物２」）に記載の「３倍の周波数より高く」とは、単に「６０Hzより高く」と言っているにすぎず』と主張している。しかしながら、上記ア〜カで述べたことから、引用刊行物２における「３倍の周波数より高く」なる記載は、「通常の面順次走査方式の３倍の周波数より高く」を意味するものであって、通常の面順次走査方式（フレーム周波数６０Ｈｚ）では、色フィルタは６０Ｈｚの回転数を持つところ、６０×３＝１８０Ｈｚより大きい回転数で色フィルタを回転すべきであることを意味しているから、上記請求人の主張は失当である。
　また、請求人は回答書において、引用刊行物２の上記記載事項７の「【０００６】・・・そのために、水平偏向のドライブおよびＣＲＴのドライブの周波数が高くなり、消費電力が増大、映像帯域の拡大によるＳ／Ｎの低下、周波数特性（ｆ特性）の低下という新たな問題が発生する。・・・」なる記載が阻害要因になる旨主張している。しかしながら、請求人が審判請求書において「CRTを用いた表示装置では、周波数を高くして色割れを防止することが困難であることを示しており、本願の出願人は、この問題を解決するために、高速駆動が可能な反射型のデジタルマイクロミラーデバイスを表示装置として選択したものであります。」と自認するとおり、上記阻害要因は、ＣＲＴ固有の問題である。そして、引用刊行物２の上記記載事項１０に「【００２１】よりさらに、この例では、画像発生源としてＣＲＴ１０が用いられているが、ＣＲＴ１０の代わりに液晶等の他のモノクロ画素表示装置を使用することも可能である。この液晶を用いた場合、バックライトと液晶との間にカラー偏光板、およびπセルを配置する構成にすることも可能である。」と記載されているように、モノクロ画像発生源として、ＣＲＴ以外のものを採用することが、引用刊行物２にも記載されているのであるから、ＣＲＴ以外のモノクロ画像発生源である引用発明１に引用発明２を適用することに、阻害要因は認められない。
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
　平成２１年２月９日付け手続補正は上記のとおり却下されたので、本願の請求項１に係る発明（以下、「本願発明」という。）は、平成１８年１１月２９日付けの手続補正により補正された特許請求の範囲、明細書及び図面の記載から、次のとおりのものと認める。
「光源と、
　時間順次で、前記光源の光から複数の色光を所定の周波数で繰り返し生成する回転カラーフィルタと、
　該複数の色光のそれぞれに対応した画像を生成し、該複数の色光を処理する電気光学装置と、
　前記回転カラーフィルタの回転駆動と、前記電気光学装置の駆動タイミングとを同期させるように制御する駆動回路と、
　を備え、
　前記駆動回路は、前記所定の周波数が２５０Ｈｚ以上となるように、前記回転カラーフィルタの回転数を制御するカラー表示装置。
」
　
４　引用刊行物 
　
　引用刊行物１に記載された引用発明１は、前記「２　（２−２−４）」に記載されたとおりである。 
　
５　対比・判断
　
　本願発明は、前記「２」で検討した本願補正発明から、電気光学装置に関して、「該複数の色光のそれぞれに対応した画像を生成」することの「時間順次で」行う限定を省き、「該複数の色光の強度を変調する」ことを「該複数の色光を処理する」ことに一般化し、「反射型のデジタルマイクロミラーデバイスである」との発明特定事項を省いたものである。
　そうすると、本願発明と引用発明１とを比較すると、両者は検討済みの相違点において相違し、その余の点で一致する。
　したがって、本願発明は、前記「２　（４）当審の判断」の「相違点について」において示した理由により、引用発明１及び引用発明２に基づいて当業者が容易に発明をすることができたものである。
　
６　むすび 
　以上のとおり、本願発明は、引用発明１及び引用発明２に基づいて当業者が容易に発明をすることができたものであるから、特許法第２９条第２項の規定により特許を受けることができない。 
　したがって、他の請求項に係る発明について審理するまでもなく、本願は拒絶すべきものである。
　
　よって、結論のとおり審決する。